(57)【要約】      （修正有）【課題】ペットボトルのキャップとボトルにて、ペットボトル飲み口部分に指を触れることなく、清潔を保ったまま飲めるようにするため、清潔保つ、つば付きキャップとつば付きボトルを提供する。【解決手段】ペットボトル開閉時、ペットボトル飲み口部分に、指先が接触しないようにするために、キャップ最下部に水平方向に「つば」部材２を設け、さらにその先端部に鉛直方向で下向きに円筒形の、隔たり「つば」３を設け、またボトル側にも「つば」６を設けることでペットボトル飲み口部分に指が接触することを防ぎ、清潔を保つことである。尚、キャップ部分と「つば」２、３とが一体成形されている、また、ボトル部分においては、ボトルと「つば」６が一体成形されている。【選択図】図１
0003235496.tif 000002
【実用新案登録請求の範囲】
【請求項１】
樹脂製の円筒状本体（キャップ）と下部周囲に水平方向に配した樹脂製のつば部材と、その先端部分に垂直方向下向きに円筒形の筒を設けた、つば部材とからなる、いずれにしてもボトルより水分摂取の際に飲み口に、手に付着した、ばい菌が付着しないようにするために設けた、
清潔保つ．つば付きキャップとつば付きボトル。
【請求項２】
円筒状本体（キャップ）と下部周囲に配した２か所の、樹脂製のつば部材とが一体成形されていることを特徴とする請求項１記載の、
清潔保つ．つば付きキャップとつば付きボトル。
【請求項３】
持ち運びの際にキャップ下部の２か所のつばの先端部に指が接触しないようにするために、ボトルのキャップのねじ部分の下部にも水平方向につばを設け、また請求項１記載の２か所の「つば」を設けた最下部の部分と、ボトル側のつば部分と接する納まりとなっており、その接点の構成は、密着しており、ばい菌や水分が侵入しにくくなっている、
清潔保つ．つば付きキャップとつば付きボトル。
【請求項４】
ボトルのキャップのねじ部分の下部周囲に配した、つば部材とボトルとが一体成形されていることを特徴とする請求項３記載の、
清潔保つ．つば付きキャップとつば付きボトル。
【請求項５】
ボトルのキャップのねじ部分の下部周囲に配した、つば部材は、キャップ下部周辺に配した円筒形のつばの面よりも外部側へ出ていて、その部分に接触されないように構成していることを特徴とする請求項４記載の、
清潔保つ．つば付きキャップとつば付きボトル。
【考案の詳細な説明】
【技術分野】
【０００１】  本考案は、ペットボトル開閉時、ペットボトル飲み口部分に、指先が接触し清潔を保てなくなるのを防ぎ、安心してペットボトルから水分を摂取できるようにするようにするために考案しました。
【背景技術】
【０００２】  本考案は、ペットボトル開閉時、ペットボトル飲み口部分に、指先が接触し清潔を保てなくなるのを防ぐために、キャップ最下部に水平方向につば部材を設けその先端部に鉛直方向で下向きに円筒形の、隔たり「つば」を設け、また
ボトル側にも「つば」を設けることでペットボトル飲み口部分に指が接触することを防ぎ、清潔を保つことができる。
【先行技術文献】
【特許文献】
【０００３】
【特許文献１】実登  第３２２１２３０号
【考案の概要】
【考案が解決しようとする課題】
【０００４】  解決しようとする問題点は、ペットボトル開閉時、ペットボトル飲み口部分に、指先が接触し清潔を保てなくなるのを防ぐことである。
【課題を解決するための手段】
【０００５】    解決するために、ペットボトル開閉時、ペットボトル飲み口部分に、指先が接触しないようにするために、キャップ最下部に水平方向に「つば」部材を設けさらにその先端部に鉛直方向で下向きに円筒形の、隔たり「つば」を設け、またボトル側にも「つば」を設けることでペットボトル飲み口部分に接触することを防ぎ、清潔を保つことである。
【考案の効果】
【０００６】  本考案は、樹脂製の円筒状本体キャップの下部周囲に配した、樹脂製の２か所のつば部材とからなり、ペットボトル開閉時、ペットボトル先端部分に、指先が接触しないようにするために、キャップ最下部に水平方向につば部材を設けその先端部に鉛直方向で下向きに円筒形の、隔たり「つば」を設け、またボトル側にも「つば」を設けることで、清潔を保ったまま安心してペットボトルから水分摂取することである。
【図面の簡単な説明】
【０００７】
【図１】本考案に係る正面から見た断面図である。
【考案を実施するための形態】
【０００８】  本考案に係るキャップ側に円筒形の、隔たりと「つば」を設け、ボトル側にも「つば」を設けたことで指がペットボトル飲み口部分に接触することを防ぎ、清潔を保ち、水分を摂取することである。
【実施例】
【０００９】    樹脂製の円筒状本体（キャップ）下部周囲に配した、樹脂製のつば部材とボトルのつば、からなり構成されている。【０００１０】
0003235496.tif 000003
その高さは１０〜５０ｍｍである。【０００１１】
0003235496.tif 000004
であり、つば部材３との挟角θは、９０度である。【０００１２】    また、つば部材３の高さは、５〜８０ｍｍである。【０００１３】
0003235496.tif 000005
【０００１４】    また、ボトルねじ下部に設けた、つば４は、外径３０〜１３０Φである。
【産業上の利用可能性】
【０００１５】  本考案に係る、清潔保つ．つば付きキャップは、ペットボトル以外に、紙ボトル、ガラスボトル、アルミボトル、スチールボトル、プラスチックボトル、ビニールボトルにも利用可能なものとする。
【符号の説明】
【０００１６】１．ペットボトルのキャップである。
２．ペットボトルのキャップ最下側部分に水平に設けた円盤状のツバ部分でありキャップ部分とつば部分は一体形成されている。
３．キャップに設けた円盤状のツバ部分に更に端部に鉛直方向下方に設けた円筒形のツバ部分でありキャップ部分と２のつば部分とは、全て一体形成されている。
４．ペットボトルであり上部のキャップのつば先端部分がボトル側の円盤状のつば部分に密着した部分で  ある。
５．ペットボトル本体である。
６．ペットボトルのねじ下部のつばでありペットボトルとつばは一体形成されている。
【図１】
0003235496.tif 000006
【手続補正書】
【提出日】令和3年9月9日(2021.9.9)
【手続補正１】
【補正対象書類名】実用新案登録請求の範囲
【補正対象項目名】全文
【補正方法】変更
【補正の内容】
【実用新案登録請求の範囲】
【請求項１】
樹脂製の円筒状本体（キャップ）と、下部周囲に水平方向に配した樹脂製のつば部材と、前項目に記した後者のその先端部分に垂直方向下向きに円筒形の筒を設けた、つば部材とからなる、
清潔保つ、つば付きキャップとつば付きボトル。
【請求項２】
前記に記した、樹脂製の円筒状本体（キャップ）と、下部周囲に配した２か所の、樹脂製のつば部材とが一体成形されていることを特徴とする請求項１記載の、
清潔保つ．つば付きキャップとつば付きボトル。
【請求項３】
前記に記した、持ち運びの際にキャップ下部の２か所のつばの先端部に指が接触しないようにするために、ボトルのキャップのねじ部分の下部にも水平方向につばを設け、また請求項１記載の２か所の「つば」を設けた最下部の部分と、ボトル側のつば部分と接する納まりとなっており、その接点の構成は、密着しており、ばい菌や水分が侵入しにくくなっている、
清潔保つ、つば付きキャップとつば付きボトル。
【請求項４】
前記に記した、ボトルのキャップのねじ部分の下部周囲に配した、つば部材とボトルとが一体成形されていることを特徴とする請求項３記載の、
清潔保つ、つば付きキャップとつば付きボトル。
【請求項５】
前記に記した、ボトルのキャップのねじ部分の下部周囲に配した、つば部材は、キャップ下部周辺に配した円筒形のつばの面よりも外部側へ出ていて、その部分に接触されないように構成していることを特徴とする請求項４記載の、
清潔保つ、つば付きキャップとつば付きボトル。